【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
モバイルデバイスとのＷｉ−Ｆｉ（登録商標）無線通信のためのホストデバイスであって、
各モバイルデバイスが、通信プロトコルに従った無線通信のためのモバイル送受信器と、往復時間測定に基づいて前記ホストデバイスと前記モバイルデバイスとの間の距離を特定するための測距プロトコルを介した距離測定のためのモバイルプロセッサとを備え、
前記ホストデバイスが、
前記通信プロトコルに従った無線通信のためのホスト送受信器と、
前記測距プロトコルを介した距離測定のためのホストプロセッサと、
接続ボタンを備えるユーザーインターフェースと、
を備え、
前記ホストデバイスは、関係構築前発見サービスを使用して、Ｗｉ−Ｆｉ（登録商標）通信範囲内のモバイルデバイスを特定し、
前記ホストプロセッサは、ユーザーが前記接続ボタンを有効化したときに接続シーケンスを実行し、
前記接続シーケンスが、
Ｗｉ−Ｆｉ（登録商標）無線通信範囲内にあると以前に特定された前記モバイルデバイスで前記測距プロトコルを実行することにより、１つ又は複数のそれぞれの距離を特定することであって、前記それぞれの距離が、前記ホストデバイスとそれぞれのモバイルデバイスとの間における距離であり、前記特定は、第１のモバイルデバイスとのＷｉ−Ｆｉ（登録商標）接続を確立する前に行われる、前記１つ又は複数のそれぞれの距離を特定することと、
前記第１のモバイルデバイスが前記ホストデバイスに対する動きを示したか否かを検出することと、前記第１のモバイルデバイスが前記ホストデバイスに対する動きを示した場合、
前記第１のモバイルデバイスと前記ホストデバイスとの間の接続に関係したＷｉ−Ｆｉ（登録商標）接続アクションを実行することと、
を有する、
ホストデバイス。
【請求項２】
前記接続シーケンスは、
前記それぞれの距離のうちの最短距離を選択することと、
前記それぞれのモバイルデバイスのうちの前記最短距離をもつ最も近いモバイルデバイスを識別することと、
前記最も近いモバイルデバイスと前記ホストデバイスとの間の接続に関係した接続アクションを実行することと、
を有する、請求項１に記載のホストデバイス。
【請求項３】
前記接続シーケンスは、
前記通信プロトコルに従った前記第１のモバイルデバイスと前記ホストデバイスとの間における既存の通信セッションが存在するか否かを判定することを有し、前記通信プロトコルに従った前記第１のモバイルデバイスと前記ホストデバイスとの間における既存の通信セッションが存在しない場合、前記接続アクションが、
前記通信プロトコルに従った前記第１のモバイルデバイスと前記ホストデバイスとの間における新しい通信セッションを始動すること
を有する、
請求項１又は２に記載のホストデバイス。
【請求項４】
前記接続シーケンスは、
前記通信プロトコルに従った前記第１のモバイルデバイスと前記ホストデバイスとの間における既存の通信セッションが存在するか否かを判定することと、前記通信プロトコルに従った前記第１のモバイルデバイスと前記ホストデバイスとの間における既存の通信セッションが存在しない場合、
前記通信プロトコルに従ったさらなるモバイルデバイスと前記ホストデバイスとの間におけるさらなる通信セッションが存在するか否かを判定することと、前記通信プロトコルに従った前記さらなるモバイルデバイスと前記ホストデバイスとの間におけるさらなる通信セッションが存在する場合、前記接続アクションが、
前記さらなるモバイルデバイスと前記ホストデバイスとの間における前記さらなる通信セッションを終了することを始動すること
を有する、
請求項１又は２に記載のホストデバイス。
【請求項５】
前記接続シーケンスは、
前記通信プロトコルに従ったさらなるデバイスと前記ホストデバイスとの間における既存の通信セッションが存在するか否かを判定することを有し、前記通信プロトコルに従った前記さらなるデバイスと前記ホストデバイスとの間における既存の通信セッションが存在する場合、前記接続アクションは、
前記通信プロトコルに従った前記さらなるデバイスと前記ホストデバイスとの間における前記既存の通信セッションを終了することを始動すること
を有する、
請求項１から４の何れか一項に記載のホストデバイス。
【請求項６】
前記接続シーケンスは、前記最も近いモバイルデバイスと前記ホストデバイスとの間における既存の通信セッションが存在する場合に、
前記それぞれの距離のうちで２番目に短い距離を選択することと、
前記それぞれのモバイルデバイスのうちの前記２番目に短い距離をもつ第２のモバイルデバイスを識別することと、
前記通信プロトコルに従った前記第２のモバイルデバイスと前記ホストデバイスとの間における新しい通信セッションを始動することと、
を有する、請求項２に記載のホストデバイス。
【請求項７】
前記接続アクションは、
前記通信プロトコルに従って前記第１のモバイルデバイスを認証することと、
前記第１のモバイルデバイスが認証済デバイスリストのデバイスであるか否かを判定し、前記第１のモバイルデバイスが前記認証済デバイスリストのデバイスではない場合、前記第１のモバイルデバイスの成功した認証時に、前記認証済デバイスリストを更新することと、
新しい通信セッションのために選択された前記モバイルデバイスが認証済デバイスリストのデバイスであるか否かを判定し、前記新しい通信セッションのために選択された前記モバイルデバイスが前記認証済デバイスリストのデバイスである場合、前記選択されたモバイルデバイスへの接続をセットアップするために以前に確立された認証情報を再使用することと、
のうちの少なくとも１つを有する、請求項１から６の何れか一項に記載のホストデバイス。
【請求項８】
前記接続シーケンスは、
新しい通信セッションのために選択された前記モバイルデバイスの距離が所定の接続範囲を越えているか否かを判定することを有し、前記新しい通信セッションのために選択された前記モバイルデバイスの距離が所定の接続範囲を越えている場合、
前記接続シーケンスを停止することと、
前記モバイルデバイスが前記所定の接続範囲の外側にあることを前記ユーザーに通知することと、
前記モバイルデバイスが前記ホストデバイスに向けて動かされる必要があることを前記ユーザーに示すことと、
限られた期間において、最短距離が前記所定の接続範囲未満となるまで、前記それぞれの距離を特定することと前記最短距離を選択することとを繰り返し、前記最短距離が前記所定の接続範囲未満である場合、前記接続アクションを実行することに続くことと、
のうちの少なくとも１つに続く、
請求項１から７の何れか一項に記載のホストデバイス。
【請求項９】
前記接続シーケンスは、
所定の接続範囲内におけるモバイルデバイスの総数を特定することを有し、
前記総数が所定の数を上回っている場合、前記総数が前記所定の接続範囲の内側において許容されるデバイスの所定の数を上回っていることを前記ユーザーに通知することと、
前記総数が所定の数を上回っている場合、前記接続範囲から１つ又は複数のモバイルデバイスを除去することを前記ユーザーに要求することと、
前記総数が所定の数を上回っている場合、前記接続シーケンスを停止することと、
前記総数が１である場合、選択することと識別することとをスキップするとともに、前記接続アクションを実行することに続くことと、
のうちの少なくとも１つに続く、
請求項１から８の何れか一項に記載のホストデバイス。
【請求項１０】
前記接続シーケンスは、
前記最も近いモバイルデバイスが前記動きを示したか否かを検出して、前記最も近いデバイスが前記動きを示した場合にのみ、前記第１のモバイルデバイスと前記ホストデバイスとの間における新しい接続をセットアップすることと、
前記最も近いモバイルデバイスが前記動きを示したか否かを検出して、前記最も近いデバイスが前記動きを示した場合にのみ、前記第１のモバイルデバイスを認証することと、
前記最も近いモバイルデバイスが前記動きを示したか否かを検出して、前記最も近いデバイスが前記動きを示さなかった場合にのみ、続いて、
新しい通信セッションを始動するために、前記最も近いモバイルデバイスを選択することと、
既存の通信セッションを終了するために、前記第１のモバイルデバイスを選択することと、
のうちの少なくとも１つを行うことと、
のうちの少なくとも１つにより適応される、
請求項２に記載のホストデバイス。
【請求項１１】
前記測距プロトコルが、前記それぞれのモバイルデバイスからそれぞれの認証情報データを伝達することを有し、前記ホストプロセッサが、前記それぞれの距離に基づいて選択された前記それぞれのモバイルデバイスに対する前記接続アクションを実行するときに、前記それぞれの認証情報データを使用するか、
又は、
前記ホストプロセッサが、前記モバイルデバイスにより測定された少なくとも１つの追加的な距離を受信し、前記ホストデバイスとそれぞれのモバイルデバイスとの間における前記それぞれの距離を特定するときに、前記追加的な距離を使用する、
請求項１から１０の何れか一項に記載のホストデバイス。
【請求項１２】
ホストデバイスとモバイルデバイスとを備える無線通信システムであって、
前記ホストデバイスが、
通信プロトコルに従った無線通信のためのホスト送受信器と、
測距プロトコルを介した距離測定のためのホストプロセッサと、
接続ボタンを備えるユーザーインターフェースと、
を備え、
前記ホストプロセッサが、ユーザーが前記接続ボタンを有効化したときに接続シーケンスを実行し、
前記接続シーケンスが、
無線通信範囲内におけるそれぞれのモバイルデバイスに通信することにより、前記ホストデバイスと前記それぞれのモバイルデバイスとの間における距離である１つ又は複数のそれぞれの距離を特定することと、
第１のモバイルデバイスが前記ホストデバイスに対する動きを示したか否かを検出して、前記第１のモバイルデバイスが前記動きを示した場合に、前記第１のモバイルデバイスと前記ホストデバイスとの間の接続に関係した接続アクションを実行することと、
を有し、
前記モバイルデバイスが、前記通信プロトコルに従った無線通信のためのモバイル送受信器と、モバイルプロセッサとを備え、
前記モバイルプロセッサが、
前記測距プロトコルを実行し、
前記測距プロトコルを実行した時点から始まる応答期間内に前記ホストデバイスから接続メッセージを受信し、
前記接続メッセージに応答して、前記モバイルデバイスと前記ホストデバイスとの間の接続に関係した接続アクションを実行する、
無線通信システム。
【請求項１３】
モバイルデバイスとのＷｉ−Ｆｉ（登録商標）無線通信のためのホストデバイスにおける使用のためのホスト方法であって、
各モバイルデバイスが、Ｗｉ−Ｆｉ（登録商標）通信プロトコルに従った無線通信のためのモバイル送受信器と、往復時間測定に基づいて前記ホストデバイスと前記モバイルデバイスとの間の距離を特定するための測距プロトコルを介した距離測定のためのモバイルプロセッサとを備え、
前記ホストデバイスが、
前記通信プロトコルに従った無線通信のためのホスト送受信器と、
前記測距プロトコルを介した距離測定のためのホストプロセッサと、
接続ボタンを備えるユーザーインターフェースと、
を備え、
前記ホスト方法は、
関係構築前発見サービスを使用して、Ｗｉ−Ｆｉ（登録商標）通信範囲内のモバイルデバイスを特定するステップと、
ユーザーが前記接続ボタンを有効化したことを検出するステップと、
前記ユーザーが前記接続ボタンを有効化したときに接続シーケンスを実行するステップと、
を有し、
前記接続シーケンスが、
Ｗｉ−Ｆｉ（登録商標）無線通信範囲内にあると以前に特定されたそれぞれの前記モバイルデバイスで前記測距プロトコルを実行することにより、前記ホストデバイスとそれぞれのモバイルデバイスとの間における距離である１つ又は複数のそれぞれの距離を特定することと、
第１のモバイルデバイスが前記ホストデバイスに対する動きを示したか否かを検出して、前記第１のモバイルデバイスが前記動きを示した場合に、前記第１のモバイルデバイスと前記ホストデバイスとの間のＷｉ−Ｆｉ（登録商標）接続に関係した接続アクションを実行することと、
を有する、
ホスト方法。
【請求項１４】
ホストデバイスとのＷｉ−Ｆｉ（登録商標）無線通信のためのモバイルデバイスにおける使用のためのモバイル方法であって、
前記モバイルデバイスが、Ｗｉ−Ｆｉ（登録商標）通信プロトコルに従った無線通信のためのモバイル送受信器と、往復時間測定に基づいて前記ホストデバイスと前記モバイルデバイスとの間の距離を特定するための測距プロトコルを介した距離測定のためのモバイルプロセッサとを備え、
前記ホストデバイスが、
前記通信プロトコルに従った無線通信のためのホスト送受信器と、
前記測距プロトコルを介した距離測定のためのホストプロセッサと、
接続ボタンを備えるユーザーインターフェースと、
を備え、
前記ホストデバイスは、関係構築前発見サービスを使用して、Ｗｉ−Ｆｉ（登録商標）通信範囲内のモバイルデバイスを特定し、
前記ホストプロセッサは、ユーザーが前記接続ボタンを有効化したときに接続シーケンスを実行し、
前記接続シーケンスが、
無線通信範囲内のそれぞれのモバイルデバイスで前記測距プロトコルを実行することにより、前記ホストデバイスと前記それぞれのモバイルデバイスとの間における距離である、前記１つ又は複数のそれぞれの距離を特定することであって、前記特定は、無線通信範囲内のそれぞれのモバイルデバイスとの安全な接続を確立する前に行われる、特定することと、
第１のモバイルデバイスが前記ホストデバイスに対する動きを示したか否かを検出して、前記第１のモバイルデバイスが前記動きを示した場合に、
前記第１のモバイルデバイスと前記ホストデバイスとの間のＷｉ−Ｆｉ（登録商標）接続に関係した接続アクションを実行することと、
を有し、
前記モバイル方法が、
前記測距プロトコルを実行するステップと、
前記ホストデバイスに対する前記動きを実施するように、前記モバイルデバイスのユーザーに指示するステップと、
前記測距プロトコルを実行した時点から始まる応答期間内に前記ホストデバイスからＷｉ−Ｆｉ（登録商標）接続メッセージを受信するステップと、
前記接続メッセージに応答して、前記第１のモバイルデバイスと前記ホストデバイスとの間のＷｉ−Ｆｉ（登録商標）接続に関係した接続アクションを実行するステップであって、接続がＷｉ−Ｆｉ（登録商標）接続である、接続アクションを実行するステップと、
を有する、
モバイル方法。
【請求項１５】
ネットワークからダウンロード可能な、並びに／又は、コンピュータ可読媒体及び／若しくはマイクロプロセッサにより実行可能な媒体に記憶されたコンピュータプログラムであって、前記コンピュータプログラムが、コンピュータにおいて実行されたときに請求項１３又は１４に記載の方法を実施するためのプログラムコード命令を含む、コンピュータプログラム。